(57)【要約】      （修正有）【課題】被介助者とベッド等との隙間に容易に挿入することができ、とっさの移動介助の場合でも使える、移動介助に便利なエプロンを提供する。【解決手段】少なくとも前掛け部２と腰ひも３とを有し、表側の面には何もなく、表面が滑りやすくなっており、前掛け部２の裏側の面に、手袋型ポケット４ａ、４ｂが２つ、それぞれ親指を入れる部分が外側になるように備え付けられている。腰ひも３は、腰ひも３を巻いたまま前掛け部２を脇に寄せられる構造で前掛け部２と一体化していることが好ましい。前掛け部２の少なくとも表側の表面には、撥水性、制電性が付与されていることが好ましい。【選択図】図１
0003208497.tif 000002
【実用新案登録請求の範囲】
【請求項１】
少なくとも前掛け部と腰ひもとを有し、
前掛け部の表側の面には何もなく、表面が滑りやすくなっており、
前掛け部の裏側の面に、手袋型ポケットが２つ、それぞれ親指を入れる部分が外側になるように備え付けられている
ことを特徴とするエプロン
【請求項２】
腰ひもは、腰ひもを巻いたまま前掛け部を脇に寄せられる構造で前掛け部と一体化していることを特徴とする請求項１に記載のエプロン
【請求項３】
前掛け部の少なくとも表側の表面には、さらに撥水性が付与されていることを特徴とする請求項１又は２に記載のエプロン
【請求項４】
前掛け部の少なくとも表側の表面には、さらに制電性が付与されていることを特徴とする請求項１乃至３に記載のエプロン
【考案の詳細な説明】
【技術分野】
【０００１】
本考案は、介護用品またはエプロンに関し、特に、自分で体を自由に動かすことが困難な寝たきりの人を、少し移動させたり背中を持ち上げたり（背抜き）する際に便利な、介助者（介護者）が着用するエプロンに関するものである。
【背景技術】
【０００２】
自分で体を自由に動かすことが困難な寝たきりの人をベッドや布団上でそのままにしておくと、いわゆる床ずれ（褥瘡：じゅくそう）ができてしまうため、少しでもこの人を移動させる必要がある。その際、移動を介助する人（介助者）は、寝た状態（意識はあっても横たわっていて自分で体を思うように動かせない状態）の人（被介助者）とその下にあるベッドや布団との隙間に、手のひらを上に向けて両手を挿入し、被介助者の身体を支えて移動させるということになる。
【０００３】
しかし、数十キログラムもの体重のある寝たきりの大人とベッドや布団との間には、容易には隙間が開かず、両手を挿入することが困難であるという問題があった。
【０００４】
この問題を解決するために、表面（ひょうめん）を滑りやすくした移動介助用グローブが存在している（他社製品）。これは、その内部で手を広げられる程度に大きく、肘ぐらいまではめられるように長い、袋状のもので、はずれにくくするために親指を外に出せる穴が開いており、ナイロンタフタ製ですべりが良い。しかし、介助者は、移動介助用グローブを常時保持しているわけではないので、とっさの場合に使えず不便である。また、移動介助用グローブを装着して被介助者の体の下に両手を挿入できても、その両手を引き抜くときに、グローブが大きすぎてグローブがそのまま（被介助者とベッドとの間に）残されてしまうという問題がある。親指用の穴に必ずしも親指が収まったままとならずに抜けてしまうのである。
【考案の概要】
【考案が解決しようとする課題】
【０００５】
そこで、本考案が解決しようとする課題は、被介助者とベッドとの隙間に容易に挿入することができ、とっさの移動介助の場合でも使える移動介助に便利なものを提供することにある。
【課題を解決するための手段】
【０００６】
上記の課題を解決するため、本考案の一態様によるエプロンは、少なくとも前掛け部と腰ひもとを有し、前掛け部の表側の面には何もなく、表面が滑りやすくなっており、前掛け部の裏側の面に、手袋型ポケットが２つ、それぞれ親指を入れる部分が外側になるように備え付けられていることを特徴とする。
【０００７】
通常、エプロンまたは前掛けの裏側（エプロンを身に着ける人の身体に面する側）にはポケットが付いていない。エプロンにポケットが付いていたとしても、そのポケットは小物を入れるためのもので、ポケットは表側（外側）に付いているのが普通である。
【０００８】
本考案のエプロンには、前掛け部の裏側に手袋型ポケットが２つ、それぞれ親指を入れる部分が外側になるように備え付けられているので、エプロンを身に着けたまま、両手をそれぞれ、手のひらを表側（被介助者側）に向けて、すなわち親指が外側になるように、この手袋型ポケットに入れることができる。表面は滑りやすくなっているので、そのまま、両手を前に出して被介助者とベッドや布団との間に滑り込ませれば、前掛け部ごと両手を挿入することができる。したがって、移動介助用に便利である。
【０００９】
なお、手袋型ポケットは、少なくとも介助者が片手を入れられる大きさで、親指部が分かれていればよい。すなわち、ミトン型ポケットでよい。ポケットは、介助者の片手を広げられて入れられる大きさであることが好ましいが、片手を閉じたままであっても親指と親指以外の4本をそれぞれ入れることができればよい。５本の指を入れる部分がすべて分かれている必要はないが分かれていても良い。
【００１０】
さらに、腰ひもは、腰ひもを巻いたまま前掛け部を脇に寄せられる構造で前掛け部と一体化していることが好ましい。そうすることで、移動介助以外の作業をするときには前掛け部分を脇に寄せて、移動介助作業の時には、前掛け部を前に広げて移動介助することができる。いちいち移動介助用のグローブを探しに行くこともなく、とっさの時でも速やかに移動介助することができる。
【００１１】
さらに、前掛け部の少なくとも表側の面には、撥水性が付与されていることが好ましい。そうすることで、水がかかっても乾きやすく、汚れが沁みつきにくくなるので、移動介助以外の介護作業の際にも本考案のエプロンを装着しているだけでよく、とっさの場合の移動介助に役立つこととなる。前掛け部の少なくとも表側の面には、さらに制電性（静電気を逃がす性質、帯電を低減する性能）が付与されていることが好ましい。そうすることで、より快適に利用できる。
【考案の効果】
【００１２】
本考案により、自分で体を自由に動かすことが困難な寝たきりの人をベッドや布団上で少し移動させたり背抜きしたりする際に便利な移動介助用エプロンを提供できる。介助者は、通常の介護作業の際には、本考案によるエプロンを腰に巻いて作業し、移動介助が必要になった際には、本考案のエプロンの手袋型ポケット部分の左右それぞれに手を入れて、エプロンの前掛け部ごと被介助者の体の下に挿入し、移動や背抜きを介助することができる。すなわち、本考案によるエプロンを身に着けることにより、介助者は、とっさの場合でも、すぐに移動介助をすることができる。これにより、被介助者は床ずれを軽減することができ、快適に過ごすことができる。
【００１３】
手袋型ポケットはエプロンの前掛け部にしっかりと固定されて一体となっており、さらに、エプロンは腰ひもにより介助者の腰にしっかりと巻き付けられているので、移動介助終了時にエプロンごと介助者が被介助者から離れればよく、手袋だけ被介助者の体の下に残ってしまうということもない。これにより、被介助者は、違和感なく快適に過ごすことができる。
【００１４】
また、エプロンの前掛け部と腰ひもとを分離して腰ひもを腰に結んだまま前掛け部を脇に寄せられる構造にした場合には、前掛け部を脇に寄せて、移動介助以外の作業をすることができるので、通常の介護作業の邪魔となることもない。また、本考案によるエプロンは、介助者の両手をその手袋型ポケットに入れてそのまま寝たきりの被介助者とベッドや布団との間に挿入でき、被介助者の身体を支えることができるものであるから、車いすへの移動（移乗）の際の介助にも便利に使うことができる。
【図面の簡単な説明】
【００１５】
【図１】図１は、本考案の一実施形態であるエプロンを開いた状態で表側（被介助者側）から見た模式的な正面図である。
【図２】図２は、本考案の一実施形態であるエプロンを裏側（介助者側）から見た模式的な背面図である。
【考案を実施するための形態】
【００１６】
本考案を実施するための形態について、図１乃至図２を参酌しながら説明する。図１は、本考案の一実施形態であるエプロン１を開いた状態で表側（被介助者側）から見た模式的な正面図である。図２は、エプロン１を裏側（介助者側）から見た模式的な背面図である。図１において、破線は、（手袋型ポケットが）表側ではなく裏側に設けられていることを示している。波形の２本線は、その間が省略されていることを示している。
【００１７】
図１乃至図２に示すように、本考案の一実施形態であるエプロン１は、前掛け部２と腰ひも３を含み、前掛け部２の裏側には、ポケット４ａ，４ｂが設けられている。４ａは介助者の左手を入れるポケットであり、４ｂは介助者の右手を入れるポケットである。ポケットは、介助者の手を広げて（少なくとも親指を分けて）入れられるような手袋型（ミトン型）となっており、親指を入れる部分（親指部）が外側になるように配置されている。
【００１８】
前掛け部２は、薄くて軽くて、しわになっても跡が残りにくい布地で構成されている。前掛け部２の表面（ひょうめん）は、滑りやすくなっている。さらに、少なくとも表側の表面には、撥水性、制電性が付与されている。布地の材料は、特に限定しないが、ナイロンやポリエステルなど一般的に入手可能な市販品の中から適宜選択することができる。
【００１９】
腰ひも３は、エプロンを介助者の腰に固定するためのものである。腰ひも３は、介助者の腰に巻き付けて後ろで結べる程度の十分な長さがある。腰ひも３は、太めの丸ひもで、前掛け部２の上部に設けられた筒状部分（特に図示せず）に通されている。よって腰ひも３は前掛け部２と一体化している。なお、腰ひも３の両端は結び目や樹脂製のストッパーなどが付与され、間違って腰ひも３が前掛け部２から抜けないように構成されている。すなわち、エプロン１の腰ひも３は、腰ひも３を介助者の腰に巻いたまま前掛け部２を脇に寄せられる構造である。
【００２０】
エプロン１は、一見すると一般的なエプロン、特に、腰から下のみの前掛けと似ているかもしれないが、表側（外から見える側，被介助者の体に面する側）がポケットも何もなく、その表面（ひょうめん）はツルツルで滑りやすくなっている点と、裏側（介助者の体側）に少なくとも介助者の手が入る手袋型ポケット（ミトン型ポケット）が２つ備えられている点が、通常とは大きく異なる。
【００２１】
上記のとおり、本考案のエプロン１は、前掛け部２の裏側に、親指部が外側を向くように手袋型ポケットが２つ縫い付けられている。これにより、本考案のエプロン１を装着する介助者は、移動介助する際に、両手の親指がそれぞれの手袋型ポケットの親指部にはまるように両手を入れることができる。それにより、自動的に手のひらが前（被介助者側）を向くこととなり、自然と、被介助者の身体を下から支えられるような形になる。
【００２２】
上記の通り、本考案のエプロン１は、前掛け部２の表面（ひょうめん）が滑りやすくなっている。したがって、被介助者とベッド等との隙間に前掛け部２を滑らせながら挿入することが容易であり、抜くのも容易である。
【００２３】
次に、本考案のエプロン１の使い方について説明する。
【００２４】
エプロン１を着用する際は、前掛け部２を広げ、ポケットが付いている方を手前側（介助者側）にして、何もなくてツルツルしている方を外側（被介助者側）になるようにして、腰ひも３を背中側で結ぶ。軽いので、介助者が通常している介護用エプロンの上にさらに装着してもよく、その場合でも違和感はない。エプロン１の腰ひも３を背中側で結んだ後は、前掛け部２を左右いずれかの脇に寄せていてもよい。
【００２５】
エプロン１を着用して移動介助をする際は、介助者は、まず前掛け部２をしっかりと広げ、ポケット４ａには左手を、ポケット４ｂには右手を、それぞれ親指部に親指が入るように手を広げて入れる。そのまま、両手（前掛け部２ごと）を前に出し、ベッド等に寝ている被介助者に近づいて、被介助者の下側、ベッド等との接地面に挿入する。前掛け部２の表側表面が滑りやすくなっているので、被介助者とベッド等との間にスムーズに介助者の両手を（エプロンごと）挿入することができる。しっかりと挿入できたら、所望の方向に少し移動させればよい。
【００２６】
移動介助が終了したら、介助者は両手をそれぞれ手袋型ポケット４ａ，４ｂに入れたまま引き抜いて前掛け部２が完全に抜けるまで被介助者から離れれば良い。前掛け部２の表側表面が滑りやすくなっているので引き抜くのも容易である。エプロン１の着用をやめる際（外す際）は、通常のエプロン同様、腰ひもを外せばよい。
【００２７】
上記のように制作したエプロン１の試作品を着用して実際に何度か移動介助をしてみたところ、上記課題が解決され、本考案の効果が確認された。
【００２８】
本考案は、上記のように、きわめてシンプルな構成のものではあるが、今までにはなかった画期的で便利なものである。従来から介護用のエプロンは数多く存在していると思われるが、その多くは、食事や排せつ処理の際に汚れないようにするために身に着けるものである。本考案のような、移動介助を目的としたエプロンはなかった。移動介助をする可能性の高い介護者は、従来からエプロンや白衣を身に着けて作業していることが多いので、従来のエプロンに替えて、もしくは、従来のエプロンの上に更に、本考案のエプロンを着用することに違和感はないと思われる。
【００２９】
なお、上記構成は、一例であり、本考案は上記構成に限られるものではない。本考案の趣旨を逸脱しない範囲で、自由に構成することができる。
【００３０】
例えば、上記の例では、腰ひもを丸ひもにして前掛け部の上部に設けられた筒状部分に通して、腰ひもを腰に巻き付けたまま前掛け部を脇に寄せられる構成としたが、他の方法（構成）により、腰ひもを腰に巻き付けたまま前掛け部を脇に寄せられる構成としてもよい。腰ひもを平布にして前掛け部両端に縫い付けてもよい。そうすると、腰ひもを腰に巻き付けたまま前掛け部を脇に寄せられる構成ではなくなるが、構造が単純になるという利点がある。
【００３１】
上記の例では、前掛け部の少なくとも表側の表面は、すべりやすくなっており、さらに、撥水性、制電性が付与されていることとしたが、撥水性、制電性については、特に付与されていなくても良い。それでも、本願考案が解決しようとする課題は解決することができる。
【００３２】
なお、前掛け部の幅や長さ、手袋型ポケットの位置や大きさ、腰ひもの長さなどの寸法は、利用する介助者の体形、腕の長さ、手の大きさなどによって適宜調節されるものであるから、上記では寸法の記載を省略した。
【００３３】
また、上記では、上半身部分のないエプロンで説明したが、上半身部分があっても構わない。
【符号の説明】
【００３４】
１…本考案の一実施形態に係るエプロン
２…前掛け部
３…腰ひも
４ａ  …手袋型ポケット（左手用）
４ｂ  …手袋型ポケット（右手用）
【図１】
0003208497.tif 000003
【図２】
0003208497.tif 000004